(57)【要約】【課題】リモコンの使い勝手を向上させるとともに、テレビジョン受像機等のメニュー表示を行う各種機器の操作を簡単にする。【解決手段】リモコン１００には、タッチパネル１０３とボタン１０１が設けられ、タッチパネル１０３の上半分の領域を指で触れながら時計回りまたは反時計回りにスライドさせる操作を行うと、この操作に対応してチャンネルを選択するための制御信号が赤外線により送信される。一方、タッチパネル１０３の下半分の領域を指で触れながら時計回りまたは反時計回りにスライドさせる操作を行うと、この操作に対応して音量を調節するための制御信号が赤外線により送信される。【選択図】図１
2006222504.tif 000002
【特許請求の範囲】
【請求項１】
筐体に設けられたタッチパネルと、
前記タッチパネルが指で触れられた状態でスライドされたスライド位置を検出するスライド位置検出手段と、
前記タッチパネルが指で触れられた状態でスライドされたスライド方向を検出するスライド方向検出手段と、
前記タッチパネルが指で触れられた状態でスライドされたスライド速度を検出するスライド速度検出手段と、
前記スライド位置検出手段によって検出された前記スライド位置と、前記スライド方向検出手段によって検出された前記スライド方向と、前記スライド速度検出手段によって検出された前記スライド速度とに対応する制御信号を生成する生成手段と、
前記生成手段によって生成された前記制御信号を送出する送出手段と
を備えることを特徴とするリモートコントローラ。
【請求項２】
前記タッチパネルは円形とされ、前記スライド位置検出手段によって前記タッチパネルの上半分を円弧状に指でスライドされたことが検出されたとき、前記生成手段はチャンネル選局または各種設定項目の選択のための制御信号を生成する
ことを特徴とする請求項１に記載リモートコントローラ。
【請求項３】
前記タッチパネルは円形とされ、前記スライド位置検出手段によって前記タッチパネルの下半分を円弧状に指でスライドされたことが検出されたとき、前記生成手段は音量調節のための制御信号を生成する
ことを特徴とする請求項１または２に記載リモートコントローラ。
【請求項４】
リモートコントローラと、前記リモートコントローラによって制御される機器とからなるリモコンシステムであって、
前記リモートコントローラは、
筐体に設けられたタッチパネルと、
前記タッチパネルが指で触れられた状態でスライドされたスライド位置を検出するスライド位置検出手段と、
前記タッチパネルが指で触れられた状態でスライドされたスライド方向を検出するスライド方向検出手段と、
前記タッチパネルが指で触れられた状態でスライドされたスライド速度を検出するスライド速度検出手段と、
前記スライド位置検出手段によって検出された前記スライド位置と、前記スライド方向検出手段によって検出された前記スライド方向と、前記スライド速度検出手段によって検出された前記スライド速度とに対応する制御信号を生成する生成手段と、
前記生成手段によって生成された前記制御信号を送出する送出手段と
を備え、
前記機器は、
前記リモートコントローラから送出された前記制御信号を受信する受信手段と、
前記受信手段によって受信された前記制御信号に対応して、ユーザインタフェース画面を生成する画面生成手段と、
前記画面生成手段によって生成された前記ユーザインタフェース画面において指示された機能を実行する実行手段と
を備える
ことを特徴とするリモコンシステム。
【請求項５】
タッチパネルを有するリモートコントローラと、前記リモートコントローラによって制御される機器とからなるリモコンシステムを制御するリモコンシステム制御方法であって、
前記リモートコントローラは、
前記タッチパネルが指で触れられた状態でスライドされたスライド位置を検出するスライド位置検出ステップと、
前記タッチパネルが指で触れられた状態でスライドされたスライド方向を検出するスライド方向検出ステップと、
前記タッチパネルが指で触れられた状態でスライドされたスライド速度を検出するスライド速度検出ステップと、
前記スライド位置検出ステップにおいて検出された前記スライド位置と、前記スライド方向検出ステップにおいて検出された前記スライド方向と、前記スライド速度検出ステップにおいて検出された前記スライド速度とに対応する制御信号を生成する生成ステップと、
前記生成ステップにおいて生成された前記制御信号を送出する送出ステップと
を備え、
前記機器は、
前記リモートコントローラから送出された前記制御信号を受信する受信ステップと、
前記受信ステップにおいて受信された前記制御信号に対応して、ユーザインタフェース画面を生成する画面生成ステップと、
前記画面生成ステップにおいて生成された前記ユーザインタフェース画面において指示された機能を実行する実行ステップと
を備える
ことを特徴とするリモコンシステム制御方法。
【請求項６】
タッチパネルを有するリモートコントローラと、前記リモートコントローラによって制御される機器とからなるリモコンシステムを制御するリモコンシステム制御プログラムであって、
前記リモートコントローラに、
前記タッチパネルが指で触れられた状態でスライドされたスライド位置を検出するスライド位置検出ステップと、
前記タッチパネルが指で触れられた状態でスライドされたスライド方向を検出するスライド方向検出ステップと、
前記タッチパネルが指で触れられた状態でスライドされたスライド速度を検出するスライド速度検出ステップと、
前記スライド位置検出ステップにおいて検出された前記スライド位置と、前記スライド方向検出ステップにおいて検出された前記スライド方向と、前記スライド速度検出ステップにおいて検出された前記スライド速度とに対応する制御信号を生成する生成ステップと、
前記生成ステップにおいて生成された前記制御信号を送出する送出ステップと
を実行させ、
前記機器に、
前記リモートコントローラから送出された前記制御信号を受信する受信ステップと、
前記受信ステップにおいて受信された前記制御信号に対応して、ユーザインタフェース画面を生成する画面生成ステップと、
前記画面生成ステップにおいて生成された前記ユーザインタフェース画面において指示された機能を実行する実行ステップと
を実行させることを特徴とするリモコンシステム制御プログラム。
【請求項７】
タッチパネルを有するリモートコントローラを制御するリモコン制御プログラムであって、
前記タッチパネルが指で触れられた状態でスライドされたスライド位置を検出するスライド位置検出ステップと、
前記タッチパネルが指で触れられた状態でスライドされたスライド方向を検出するスライド方向検出ステップと、
前記タッチパネルが指で触れられた状態でスライドされたスライド速度を検出するスライド速度検出ステップと、
前記スライド位置検出ステップにおいて検出された前記スライド位置と、前記スライド方向検出ステップにおいて検出された前記スライド方向と、前記スライド速度検出ステップにおいて検出された前記スライド速度とに対応する制御信号を生成する生成ステップと、
前記生成ステップにおいて生成された前記制御信号を送出する送出ステップと
を前記リモートコントローラに実行させることを特徴とするリモコン制御プログラム。
【発明の詳細な説明】
【技術分野】
【０００１】
本発明はリモコンシステムに関し、特に、メニュー表示を行う各種機器を遠隔操作するリモコンシステムに関するものである。
【背景技術】
【０００２】
従来、テレビジョン受像機等を遠隔操作するリモートコントローラ（以下、リモコンと略記する）の操作部は、テレビジョン受像機が実行可能な各機能に対応した複数のキーが配置され、その各キーを押下することにより、各機能に対応する制御信号が赤外線等によってテレビジョン受像機に送信され、所望の機能をテレビジョン受像機に実行させることができるようになっている。
【０００３】
ところが、給湯器等の機器を遠隔操作するリモコンのように、浴室等の湿気の多い場所や水の付いた手で操作される恐れのある場所に設置されるリモコンの場合、従来のリモコンではキーと筐体の隙間から水が侵入し、機器が故障してしまう。そこで、リモコンの筐体の前面に、機器の制御指示画面が表示されるタッチパネルを設け、このタッチパネルの縦または横方向のいずれか一方に沿ってタッチパネルの表面を指等で擦ると、その移動方向および移動距離に応じてタッチパネルの制御指示画面が切替り、所望の制御指示画面の位置でタッチパネルの縦または横方向のいずれか他方に沿ってタッチパネルの表面を擦ることにより、その制御指示画面に応じた指示信号が機器に出力されるようにし、簡単な操作で機器の制御指示画面を順次切替えることができるとともに、機器を誤動作させることなく遠隔操作することができるようにしたものがある（例えば、特許文献１参照）。
【特許文献１】特開２００３−１１１１７３号公報
【発明の開示】
【発明が解決しようとする課題】
【０００４】
しかしながら、従来のリモコンでは、リモコンのボタンを見ながら操作しなければならなかった。また、タッチパネルの表面を擦ることによって操作することができるリモコンの場合、縦および横方向にタッチパネルの表面を擦る必要があり、テレビジョン受像機のリモコンのように片手で操作する場合には操作し辛く適していないという問題があった。
本発明はこのような状況に鑑みてなされたものであり、リモコンを見ることなく片手で簡単に操作することができるようにするものである。
【課題を解決するための手段】
【０００５】
請求項１に記載のリモートコントローラは、筐体に設けられたタッチパネルと、タッチパネルが指で触れられた状態でスライドされたスライド位置を検出するスライド位置検出手段と、タッチパネルが指で触れられた状態でスライドされたスライド方向を検出するスライド方向検出手段と、タッチパネルが指で触れられた状態でスライドされたスライド速度を検出するスライド速度検出手段と、スライド位置検出手段によって検出されたスライド位置と、スライド方向検出手段によって検出されたスライド方向と、スライド速度検出手段によって検出されたスライド速度とに対応する制御信号を生成する生成手段と、生成手段によって生成された制御信号を送出する送出手段とを備えることを特徴とする。
また、タッチパネルは円形とされ、スライド位置検出手段によってタッチパネルの上半分を円弧状に指でスライドされたことが検出されたとき、生成手段はチャンネル選局または各種設定項目の選択のための制御信号を生成するようにすることができる。
また、タッチパネルは円形とされ、スライド位置検出手段によってタッチパネルの下半分を円弧状に指でスライドされたことが検出されたとき、生成手段は音量調節のための制御信号を生成するようにすることができる。
請求項４に記載のリモコンシステムは、リモートコントローラと、リモートコントローラによって制御される機器とからなるリモコンシステムであって、リモートコントローラは、筐体に設けられたタッチパネルと、タッチパネルが指で触れられた状態でスライドされたスライド位置を検出するスライド位置検出手段と、タッチパネルが指で触れられた状態でスライドされたスライド方向を検出するスライド方向検出手段と、タッチパネルが指で触れられた状態でスライドされたスライド速度を検出するスライド速度検出手段と、スライド位置検出手段によって検出されたスライド位置と、スライド方向検出手段によって検出されたスライド方向と、スライド速度検出手段によって検出されたスライド速度とに対応する制御信号を生成する生成手段と、生成手段によって生成された制御信号を送出する送出手段とを備え、機器は、リモートコントローラから送出された制御信号を受信する受信手段と、受信手段によって受信された制御信号に対応して、ユーザインタフェース画面を生成する画面生成手段と、画面生成手段によって生成されたユーザインタフェース画面において指示された機能を実行する実行手段とを備えることを特徴とする。
請求項５に記載のリモコンシステム制御方法は、タッチパネルを有するリモートコントローラと、リモートコントローラによって制御される機器とからなるリモコンシステムを制御するリモコンシステム制御方法であって、リモートコントローラは、タッチパネルが指で触れられた状態でスライドされたスライド位置を検出するスライド位置検出ステップと、タッチパネルが指で触れられた状態でスライドされたスライド方向を検出するスライド方向検出ステップと、タッチパネルが指で触れられた状態でスライドされたスライド速度を検出するスライド速度検出ステップと、スライド位置検出ステップにおいて検出されたスライド位置と、スライド方向検出ステップにおいて検出されたスライド方向と、スライド速度検出ステップにおいて検出されたスライド速度とに対応する制御信号を生成する生成ステップと、生成ステップにおいて生成された制御信号を送出する送出ステップとを備え、機器は、リモートコントローラから送出された制御信号を受信する受信ステップと、受信ステップにおいて受信された制御信号に対応して、ユーザインタフェース画面を生成する画面生成ステップと、画面生成ステップにおいて生成されたユーザインタフェース画面において指示された機能を実行する実行ステップとを備えることを特徴とする。
請求項６に記載のリモコンシステム制御プログラムは、タッチパネルを有するリモートコントローラと、リモートコントローラによって制御される機器とからなるリモコンシステムを制御するリモコンシステム制御プログラムであって、リモートコントローラに、タッチパネルが指で触れられた状態でスライドされたスライド位置を検出するスライド位置検出ステップと、タッチパネルが指で触れられた状態でスライドされたスライド方向を検出するスライド方向検出ステップと、タッチパネルが指で触れられた状態でスライドされたスライド速度を検出するスライド速度検出ステップと、スライド位置検出ステップにおいて検出されたスライド位置と、スライド方向検出ステップにおいて検出されたスライド方向と、スライド速度検出ステップにおいて検出されたスライド速度とに対応する制御信号を生成する生成ステップと、生成ステップにおいて生成された制御信号を送出する送出ステップとを実行させ、機器に、リモートコントローラから送出された制御信号を受信する受信ステップと、受信ステップにおいて受信された制御信号に対応して、ユーザインタフェース画面を生成する画面生成ステップと、画面生成ステップにおいて生成されたユーザインタフェース画面において指示された機能を実行する実行ステップとを実行させることを特徴とする。
請求項７に記載のリモコン制御プログラムは、タッチパネルを有するリモートコントローラを制御するリモコン制御プログラムであって、タッチパネルが指で触れられた状態でスライドされたスライド位置を検出するスライド位置検出ステップと、タッチパネルが指で触れられた状態でスライドされたスライド方向を検出するスライド方向検出ステップと、タッチパネルが指で触れられた状態でスライドされたスライド速度を検出するスライド速度検出ステップと、スライド位置検出ステップにおいて検出されたスライド位置と、スライド方向検出ステップにおいて検出されたスライド方向と、スライド速度検出ステップにおいて検出されたスライド速度とに対応する制御信号を生成する生成ステップと、生成ステップにおいて生成された制御信号を送出する送出ステップとをリモートコントローラに実行させることを特徴とする。
【発明の効果】
【０００６】
本発明のリモコンシステムによれば、リモコンのタッチパネルを円弧状に指でスライドさせることにより、表示制御装置等の機器の画面上に表示した操作画面を変化させ、所望の機能を指示することができるようにしたので、操作性を向上させることができる。
【発明を実施するための最良の形態】
【０００７】
図１は、本発明が適用されるリモートコントローラ（以下リモコンと略記する）の一実施の形態の外観図を示している。同図に示すように、リモコン１００は、円形のボタン１０１と、ボタン１０１の周囲にドーナツ状に配置されたタッチパネル１０３等から構成されている。
【０００８】
図２は、図１に示したリモコン１００の構成例を示すブロック図である。同図に示すように、リモコン１００は、ボタン１０１と、インタフェース１０２と、タッチパネル１０３と、タッチモーションセンサ１０４と、制御部１０５と、ＬＥＤ（Light Emitting Diode）制御部１０６と、ＬＥＤ１０７と、発光制御部１１０と、発光部１１１とから構成されている。
【０００９】
ボタン１０１は、後述するように、カーソル上に表示されている項目を選択するときに操作される。インタフェース１０２は、ボタン１０１が操作されたときに出力される電気信号に対応するデジタル信号を制御部１０５に供給するようになっている。
【００１０】
タッチパネル１０３は、指等で触れられたとき、その位置を検出し、検出信号をタッチモーションセンサ１０４に供給するようになっている。この位置検出は、一定時間間隔で行われ、検出信号が逐次、タッチモーションセンサ１０４に供給されるようになっている。
【００１１】
タッチモーションセンサ１０４は、タッチパネル１０３より供給された検出信号およびその変化に基づいて、指がタッチパネル１０３の上半分の領域に触れているのかあるいは下半分の領域に触れているのかを判定する。また、タッチモーションセンサ１０４は、指が時計回りにタッチパネル１０３上を円弧状に移動しているのか、あるいは半時計回りに円弧状に移動しているのかを判定する。
さらに、タッチモーションセンサ１０４は、上記検出信号の変化に基づいて、指がタッチパネル１０３上に接触しながら移動する速度を判定する。そして、これらの判定結果を示すデータを制御部１０５に供給するようになっている。
【００１２】
制御部１０５は、図７のフローチャートを参照して後述するように、タッチモーションセンサ１０４より供給された判定結果を示すデータに対応して各部を制御し、各種処理を実行するようになっている。
【００１３】
ＬＥＤ制御部１０６は、ＬＥＤ１０７を制御し、ＬＥＤ１０７の発光を制御するようになっている。ＬＥＤ１０７は、ＬＥＤ制御部１０６の制御により発光するようになっている。発光制御部１１０は、所定のコマンドに対応する制御信号を発光部１１１に供給し、発光部１１１の発光を制御するようになっている。発光部１１１は、発光制御部１１０から供給された制御信号に従って赤外線を発光し、所定のコマンドを送信するようになっている。
【００１４】
図３は、図１のリモコン１００によって制御可能なテレビジョン受像機２００の構成例を示すブロック図である。同図に示すように、テレビジョン受像機２００は、受光部２０１と、インタフェース（Ｉ／Ｆ）２０２と、制御部２０３と、オーバレイグラフィック処理部２０４と、音声処理部２０６と、チューナ２１０と、映像信号処理部２１１と、音声信号処理部２１２と、映像出力処理部２１３と、音声出力処理部２１４と、表示部２２０と、スピーカ２３０等から構成されている。
【００１５】
受光部２０１は、リモコン１００の発光部１１１より出射された赤外線を受光し、対応する電気信号に変換した後、Ｉ／Ｆ２０２に供給する。Ｉ／Ｆ２０２は、受光部２０１より供給された電気信号に対応する制御データを制御部２０３に供給するようになっている。制御部２０３は、Ｉ／Ｆ２０２より供給された制御データに基づいて各部を制御し、リモコン１００の操作に対応する各種処理を実行するようになっている。
【００１６】
オーバレイグラフィック処理部２０４は、制御部２０３の制御下、映像に重ね合わせる文字や図形からなるオーバレイグラフィックを生成し、映像出力処理部２１３に供給するようになっている。
【００１７】
音声処理部２０６は、制御部２０３からの指令に基づいて音声信号を生成し、音声出力処理部２１４に供給するようになっている。
【００１８】
チューナ２１０は、図示しないアンテナによって受信された受信信号から所定のチャンネルの映像音声信号を抽出し、映像信号を映像信号処理部２１１に供給し、音声信号を音声信号処理部２１２に供給するようになっている。
【００１９】
映像信号処理部２１１は、チューナ２１０より供給された映像信号に対して所定の処理を施した後、映像出力処理部２１３に供給するようになっている。音声信号処理部２１２は、チューナ２１０より供給された音声信号に対して所定の処理を施した後、音声出力処理部２１４に供給するようになっている。
【００２０】
映像出力処理部２１３は、オーバレイグラフィック処理部２０４によって生成されたオーバレイグラフィックを映像信号処理部２１１より供給された映像信号に重ね合わせた合成映像信号を生成し、表示部２２０に供給する。表示部２２０は、映像出力処理部２１３より供給された合成映像信号に対応する映像を画面に表示する。
【００２１】
音声出力処理部２１４は、音声信号処理部２１２より供給された音声信号と、音声処理部２０６より供給された音声信号を合成し、スピーカ２３０に供給するようになっている。スピーカ２３０は、音声出力処理部２１４より供給された音声信号を出力するようになっている。
【００２２】
図４は、地上波放送のチャンネルを選択するための操作画面例を示している。同図に示すように、テレビジョン受像機２００には、地上波放送のチャンネルを選択するための「１」キーと、「３」キーと、「４」キーと、「６」キーと、「８」キーとがリモコン１００のタッチパネル１０３を模して円弧状に表示されている。さらに、左端部にはＢＳ放送を選択するための「ＢＳ」キーが表示され、右端部には録画機能を選択するための「録画」キーが表示されている。
【００２３】
各キーは円弧上に接続されており、リモコン１００の操作に応じて、各キーが左右の方向に移動する。キーが左方向に移動したとき、「８」キーの次には「１０」キーが、その次には「１２」キーが出現して表示され、他のキーと同様に左方向に移動する。
【００２４】
カーソルは中央に固定されており、リモコン１００を操作してキーを左右に移動させることにより、所望のキーをカーソル上に移動させた後、「スタート」ボタン１０１を押下することにより、カーソル上にあるキーを選択することができるようになっている。
【００２５】
「ＢＳ」キー、および「録画」キーは、通常は固定とされ、移動しない。「ＢＳ」キーをカーソル上に移動させる場合には、リモコン１００のタッチパネル１０３の左側の所定の位置を所定時間以上触れ、その後、後述するような方法でリモコン１００を操作する。同様に、「録画」キーをカーソル上に移動させる場合には、リモコン１００のタッチパネル１０３の右側の所定の位置を所定時間以上触れ、その後、後述するような方法でリモコン１００を操作する。
【００２６】
図５は、ＢＳ放送のチャンネルを選択するための操作画面例を示している。同図に示すように、テレビジョン受像機２００には、ＢＳ放送のチャンネルを選択するための「１」キーと、「２」キーと、「３」キーと、「４」キーと、「５」キーとが表示されている。さらに、左端部にはＣＳ放送を選択するための「ＣＳ」キーが表示され、右端部には地上波放送を選択するための「地上」キーが表示されている。
【００２７】
各キーは円弧上に接続されて配置されており、リモコン１００の操作に応じて、各キーが左右の方向に移動する。キーが左方向に移動したとき、「５」キーの次には「６」キーが、その次には「７」キーが出現して表示され、他のキーと同様に左方向に移動する。
【００２８】
カーソルは中央に固定されており、リモコン１００を操作してキーを左右に移動させることにより、所望のキーをカーソル上に移動させた後、「スタート」ボタン１０１を押下することにより、カーソル上にあるキーを選択することができるようになっている。
【００２９】
「ＣＳ」キー、および「地上」キーは、通常は固定とされ、移動しない。「ＣＳ」キーをカーソル上に移動させる場合には、リモコン１００のタッチパネル１０３の左側の所定の位置を所定時間以上触れ、その後、後述するような方法でリモコン１００を操作する。同様に、「地上」キーをカーソル上に移動させる場合には、リモコン１００のタッチパネル１０３の右側の所定の位置を所定時間以上触れ、その後、後述するような方法でリモコン１００を操作する。
【００３０】
次に、リモコン１００のタッチパネル１０３の操作方法について説明する。図６（ａ）に示すように、タッチパネル１０３の上半分の領域に指で触れ、指を時計回りの方向に円弧状に撫でるように動かすと、画面上の各キーが右方向に移動する。また、撫でるスピードを速くすると、画面上に表示されるキーの数が増加し、隣接するキー同士の間隔が狭くなり、キーの選択を素早く行うことが可能となる。
【００３１】
また、図６（ｂ）に示すように、タッチパネル１０３の上半分の領域に指で触れ、指を反時計回りの方向に円弧状に撫でるように動かすと、画面上の各キーが左方向に移動する。また、撫でるスピードを速くすると、画面上に表示されるキーの数が増加し、隣接するキー同士の間隔が狭くなり、キーの選択を素早く行うことが可能となる。
【００３２】
また、図６（ｃ）に示すように、タッチパネル１０３の下半分の領域に指で触れ、指を反時計回りの方向に円弧状に撫でるように動かすと、音量を上げることができるようになっている。また、図６（ｄ）に示すように、タッチパネル１０３の下半分の領域に指で触れ、指を時計回りの方向に円弧状に撫でるように動かすと、音量を下げることができるようになっている。
【００３３】
次に、図７のフローチャートを参照して、リモコン１００の動作手順について説明する。まず、ステップＳ１において、リモコン１００の制御部１０５により、タッチモーションセンサ１０４から供給された判定結果を示すデータに基づいて、タッチパネル１０３が操作されたか否かが判定される。
【００３４】
その結果、タッチパネル１０３に指が触れて操作されたと判定された場合、ステップＳ２に進む。一方、タッチパネル１０３が操作されていないと判定された場合、ステップＳ１の処理が繰り返し実行される。
【００３５】
ステップＳ２においては、制御部１０５により、タッチパネル１０３の上半分の領域に指が触れられたか否かが判定される。その結果、タッチパネル１０３の上半分の領域に指が触れられたと判定された場合、ステップＳ３に進む。一方、タッチパネル１０３の下半分の領域に指が触れられたと判定された場合、ステップＳ１０に進む。
【００３６】
ステップＳ１０においては、制御部１０５により、タッチパネル１０３の操作状況に対応する音量制御データが生成され、発光制御部１１０に供給される。発光制御部１１０は、制御部１０５より供給された音量制御データに基づいて発光部１１１を制御し、音量制御データに対応する赤外線が出射される。その後、ステップＳ１に戻り、ステップＳ１以降の処理が繰り返し実行される。
【００３７】
一方、ステップＳ３においては、制御部１０５により、タッチパネル１０３を指を撫でる方向（スライド方向）が右方向（時計回りの方向）であるか否かが判定される。その結果、スライド方向が右方向であると判定された場合、ステップＳ４に進む。一方、スライド方向が左方向（反時計回りの方向）であると判定された場合、ステップＳ７に進む。
【００３８】
ステップＳ４においては、指でタッチパネル１０３が撫でられる（スライドされる）スピードが基準値以上であるか否かが判定される。その結果、基準値以上ではないと判定された場合、ステップＳ５に進む。一方、基準値以上であると判定された場合、ステップＳ６に進む。
【００３９】
ステップＳ５においては、制御部１０５により、タッチパネル１０３上を指で右方向（時計回りの方向）に通常スピードでスライドされたことを示すデータが生成され、発光制御部１１０に供給される。
【００４０】
発光制御部１１０は、制御部１０５より供給されたデータに基づいて発光部１１１を制御する。発光部１１１は、発光制御部１１０の制御に従って赤外線を発光し、上記データを赤外線により送信する。
【００４１】
一方、ステップＳ６においては、制御部１０５により、タッチパネル１０３上を指で右方向に高速でスライドされたことを示すデータが生成され、発光制御部１１０に供給される。発光制御部１１０は、制御部１０５より供給されたデータに基づいて発光部１１１を制御する。発光部１１１は、発光制御部１１０の制御に従って赤外線を発光し、上記データを赤外線により送信する。
【００４２】
また、ステップＳ３において、制御部１０５により、タッチパネル１０３を指を撫でる方向（スライド方向）が左方向であると判定されると、ステップＳ７に進み、指でタッチパネル１０３が撫でられる（スライドされる）スピードが基準値以上であるか否かが判定される。その結果、基準値以上ではないと判定された場合、ステップＳ８に進む。一方、基準値以上であると判定された場合、ステップＳ９に進む。
【００４３】
ステップＳ８においては、制御部１０５により、タッチパネル１０３上を指で左方向（反時計回りの方向）に通常スピードでスライドされたことを示すデータが生成され、発光制御部１１０に供給される。
【００４４】
発光制御部１１０は、制御部１０５より供給されたデータに基づいて発光部１１１を制御する。発光部１１１は、発光制御部１１０の制御に従って赤外線を発光し、上記データを赤外線により送信する。
【００４５】
一方、ステップＳ９においては、制御部１０５により、タッチパネル１０３上を左方向に高速でスライドされたことを示すデータが生成され、発光制御部１１０に供給される。発光制御部１１０は、制御部１０５より供給されたデータに基づいて発光部１１１を制御する。発光部１１１は、発光制御部１１０の制御に従って赤外線を発光し、上記データを赤外線により送信する。
【００４６】
図８は、テレビジョン受像機２００の処理手順を示すフローチャートである。まず、ステップＳ２１において、テレビジョン受像機２００の制御部２０３により、リモコン１００の発光部１１１から赤外線によって送信されたデータが受光部２０１によって受光されたとき、受光部２０１によって受光された赤外線に対応するデータがタッチパネル１０３上を指で右方向（時計回りの方向）に通常スピードでスライドされたことを示すものであるか否かが判定される。
【００４７】
その結果、受光部２０１によって受光された赤外線に対応するデータがタッチパネル１０３上を指で右方向（時計回りの方向）に通常スピードでスライドされたことを示すものであると判定された場合、ステップＳ２２に進む。
【００４８】
一方、受光部２０１によって受光された赤外線に対応するデータがタッチパネル１０３上を指で右方向（時計回りの方向）に通常スピードでスライドされたことを示すものではないと判定された場合、ステップＳ２３に進む。
【００４９】
ステップＳ２２においては、制御部２０３により、制御信号に対応する処理が実行される。例えば、図４に示したような画面が表示されている場合、制御部２０３は、各キー「１」、「３」、「４」、「６」、「８」を所定の第１の距離だけ右方向に移動させたオーバレイグラフィックを作成し、映像出力処理部２１３に出力するようオーバレイグラフィック処理部２０４に指令する。
【００５０】
オーバレイグラフィック処理部２０４は、制御部２０３からの指令に基づいて、各キーを所定の第１の距離だけ右方向に移動させたオーバレイグラフィックを作成し、映像出力処理部２１３に出力する。映像出力処理部２１３は、オーバレイグラフィック処理部２０４より供給されたオーバレイグラフィックを映像信号処理部２１１より供給された映像信号に重ねて合成した映像信号を生成し、表示部２２０に供給する。表示部２２０は、映像出力処理部２１３より供給された上記映像信号を表示する。
【００５１】
その後、ステップＳ２１に戻り、ステップＳ２１の処理が繰り返し実行される。ステップＳ２２の処理が繰り返し実行されることにより、表示部２２０の画面上に表示された各キーは視覚的には通常スピードで右方向に移動するように認識される。
【００５２】
また、ステップＳ２３においては、テレビジョン受像機２００の制御部２０３により、リモコン１００の発光部１１１から赤外線によって送信されたデータが受光部２０１によって受光されたとき、受光部２０１によって受光された赤外線に対応するデータがタッチパネル１０３上を指で右方向（時計回りの方向）に高速でスライドされたことを示すものであるか否かが判定される。
【００５３】
その結果、受光部２０１によって受光された赤外線に対応するデータがタッチパネル１０３上を指で右方向（時計回りの方向）に高速でスライドされたことを示すものであると判定された場合、ステップＳ２４に進む。
【００５４】
一方、受光部２０１によって受光された赤外線に対応するデータがタッチパネル１０３上を指で右方向（時計回りの方向）に高速でスライドされたことを示すものではないと判定された場合、ステップＳ２５に進む。
【００５５】
ステップＳ２４においては、制御部２０３により、制御信号に対応する処理が実行される。例えば、図４に示したような画面が表示されている場合、各キー「１」、「３」、「４」、「６」、「８」を所定の第１の距離より長い第２の距離だけ右方向に移動させ、かつより多くのキーが表示できるように各キーの間隔を狭くしたオーバレイグラフィックを作成し、映像出力処理部２１３に出力するようオーバレイグラフィック処理部２０４に指令する。
【００５６】
オーバレイグラフィック処理部２０４は、制御部２０３からの指令に基づいて、各キーを所定の第２の距離だけ右方向に移動させ、かつより多くのキーが表示できるように各キーの間隔を狭くしたオーバレイグラフィックを作成し、映像出力処理部２１３に出力する。映像出力処理部２１３は、オーバレイグラフィック処理部２０４より供給されたオーバレイグラフィックを映像信号処理部２１１より供給された映像信号に重ねて合成した映像信号を生成し、表示部２２０に供給する。表示部２２０は、映像出力処理部２１３より供給された上記映像信号を表示する。
【００５７】
その後、ステップＳ２１に戻り、ステップＳ２１以降の処理が繰り返し実行される。ステップＳ２４の処理が繰り返し実行されることにより、表示部２２０の画面上に表示された各キーは視覚的には高速に右方向に移動するように認識される。
【００５８】
また、ステップＳ２５においては、テレビジョン受像機の制御部２０３により、リモコン１００の発光部１１１から赤外線によって送信されたデータが受光部２０１によって受光されたとき、受光部２０１によって受光された赤外線に対応するデータがタッチパネル１０３上を指で左方向（反時計回りの方向）に通常スピードでスライドされたことを示すものであるか否かが判定される。
【００５９】
その結果、受光部２０１によって受光された赤外線に対応するデータがタッチパネル１０３上を指で左方向（反時計回りの方向）に通常スピードでスライドされたことを示すものであると判定された場合、ステップＳ２６に進む。
【００６０】
一方、受光部２０１によって受光された赤外線に対応するデータがタッチパネル１０３上を指で左方向（反時計回りの方向）に通常スピードでスライドされたことを示すものではないと判定された場合、ステップＳ２７に進む。
【００６１】
ステップＳ２６においては、制御部２０３により、制御信号に対応する処理が実行される。例えば、図４に示したような画面が表示されている場合、各キー「１」、「３」、「４」、「６」、「８」を所定の第１の距離だけ左方向に移動させたオーバレイグラフィックを作成し、映像出力処理部２１３に出力するようオーバレイグラフィック処理部２０４に指令する。
【００６２】
オーバレイグラフィック処理部２０４は、制御部２０３からの指令に基づいて、各キーを所定の第１の距離だけ左方向に移動させたオーバレイグラフィックを作成し、映像出力処理部２１３に出力する。映像出力処理部２１３は、オーバレイグラフィック処理部２０４より供給されたオーバレイグラフィックを映像信号処理部２１１より供給された映像信号に重ねて合成した映像信号を生成し、表示部２２０に供給する。表示部２２０は、映像出力処理部２１３より供給された上記映像信号を表示する。
【００６３】
その後、ステップＳ２１に戻り、ステップＳ２１以降の処理が繰り返し実行される。ステップＳ２６の処理が繰り返し実行されることにより、表示部２２０の画面上に表示された各キーは視覚的には通常スピードで左方向に移動するように認識される。
【００６４】
また、ステップＳ２７においては、テレビジョン受像機の制御部２０３により、リモコン１００の発光部１１１から赤外線によって送信されたデータが受光部２０１によって受光されたとき、受光部２０１によって受光された赤外線に対応するデータがタッチパネル１０３上を指で左方向（反時計回りの方向）に高速でスライドされたことを示すものであるか否かが判定される。
【００６５】
その結果、受光部２０１によって受光された赤外線に対応するデータがタッチパネル１０３上を指で左方向（反時計回りの方向）に高速でスライドされたことを示すものであると判定された場合、ステップＳ２８に進む。
【００６６】
一方、受光部２０１によって受光された赤外線に対応するデータがタッチパネル１０３上を指で左方向（反時計回りの方向）に高速でスライドされたことを示すものではないと判定された場合、ステップＳ２１に戻り、ステップＳ２１以降の処理が繰り返し実行される。
【００６７】
ステップＳ２８においては、制御部２０３により、制御信号に対応する処理が実行される。例えば、図４に示したような画面が表示されている場合、各キー「１」、「３」、「４」、「６」、「８」を所定の第１の距離より長い第２の距離だけ左方向に移動させ、かつより多くのキーが表示できるように各キーの間隔を狭くしたオーバレイグラフィックを作成し、映像出力処理部２１３に出力するようオーバレイグラフィック処理部２０４に指令する。
【００６８】
オーバレイグラフィック処理部２０４は、制御部２０３からの指令に基づいて、各キーを所定の第２の距離だけ左方向に移動させ、かつより多くのキーが表示できるように各キーの間隔を狭くしたオーバレイグラフィックを作成し、映像出力処理部２１３に出力する。映像出力処理部２１３は、オーバレイグラフィック処理部２０４より供給されたオーバレイグラフィックを映像信号処理部２１１より供給された映像信号に重ねて合成した映像信号を生成し、表示部２２０に供給する。表示部２２０は、映像出力処理部２１３より供給された上記映像信号を表示する。
【００６９】
その後、ステップＳ２１に戻り、ステップＳ２１の処理が繰り返し実行される。ステップＳ２８の処理が繰り返し実行されることにより、表示部２２０の画面上に表示された各キーは視覚的には高速に左方向に移動するように認識される。
【００７０】
リモコン１００の操作に応じて画面上の各キーが移動し、画面の中央に設定されたカーソル上に所望のチャンネルに対応するキーを移動させた後、「スタート」ボタン１０１を押下すると、制御部２０３は、「スタート」ボタン１０１が押下されたときにカーソル上にあるチャンネルを選局するようチューナ２１０に指令する。
【００７１】
チューナ２１０は、制御部２０３からの指令に基づいて、制御部２０３より指示されたチャンネルを選局し、選局したチャンネルの映像音声信号のうち、映像信号を映像信号処理部２１１に供給し、音声信号を音声信号処理部２１２に供給する。
【００７２】
映像信号処理部２１１は、チューナ２１０より供給された映像信号を映像出力処理部２１３に供給する。音声信号処理部２１２は、チューナ２１０より供給された音声信号を音声出力処理部２１４に供給する。映像出力処理部２１３は、映像信号処理部２１１より供給された映像信号を表示部２２０に供給し、表示部２２０はこの映像信号を表示する。音声出力処理部２１４は、音声信号処理部２１２より供給された音声信号をスピーカ２３０に供給し、スピーカ２３０はこの音声信号を出力する。
【００７３】
また、図５に示したように、ＢＳ放送のチャンネルを選局する場合にも、図４に示した地上波放送の場合と基本的に同様の手順で所望のチャンネルを選局し、表示部２２０に表示させることができる。
【００７４】
地上波放送、ＢＳ放送、およびＣＳ放送の選択は、例えば、タッチパネル１０３の左端部を所定時間以上押下することにより行うことができる。即ち、図４に示したような画面が表示部２２０に表示されている状態で、タッチパネル１０３の左端部を所定時間以上押し続けると、図５に示したように、ＢＳ放送チャンネル選局画面が表示される。
【００７５】
また、図５に示した画面が表示されている状態で、さらに、タッチパネル１０３の左端部を所定時間以上押下し続けると、ＣＳ放送のチャンネル選局画面が表示される。また、図５に示した画面において、タッチパネル１０３の右端部を所定時間以上押し続けると、図４に示した地上波放送のチャンネル選局画面が表示される。また、図４に示した画面において、タッチパネル１０３の右端部を所定時間以上押し続けると、図示しない録画設定画面が表示部２２０に表示され、録画設定が可能となる。
【００７６】
以上説明したように、タッチパネル１０３を指で撫でることによって感覚的に容易に所望のチャンネルを選局したり、録画設定等のその他の各種機能の実行を指示することができる。
【００７７】
なお、上記実施の形態の構成及び動作は例であって、本発明の趣旨を逸脱しない範囲で適宜変更することができることは言うまでもない。
【産業上の利用可能性】
【００７８】
本発明の活用例として、例えば、メニュー表示を行う各種機器をリモコン等で制御するユーザインタフェースに本発明を適用することができる。
【図面の簡単な説明】
【００７９】
【図１】本発明におけるリモコンの一実施の形態の外観図である。
【図２】図１のリモコンの構成例を示すブロック図である。
【図３】図１のリモコンによって制御されるテレビジョン受像機の構成例を示すブロック図である。
【図４】表示部に表示された地上波放送のチャンネル選局画面例を示す図である。
【図５】表示部に表示されたＢＳ放送のチャンネル選局画面例を示す図である。
【図６】リモコンのタッチパネルの操作方法を示す図である。
【図７】リモコンの処理手順を説明するためのフローチャートである。
【図８】テレビジョン受像機の処理手順を説明するためのフローチャートである。
【符号の説明】
【００８０】
１００  リモコン
１０１  ボタン
１０２，２０２  インタフェース（Ｉ／Ｆ）
１０３  タッチパネル
１０４  タッチモーションセンサ
１０５，２０３  制御部
１０６  ＬＥＤ制御部
１０７  ＬＥＤ
１１０  発光制御部
１１１  発光部
２００  テレビジョン受像機
２０１  受光部
２０４  オーバレイグラフィック処理部
２０６  音声処理部
２１０  チューナ
２１１  映像信号処理部
２１２  音声信号処理部
２１３  映像出力処理部
２１４  音声出力処理部
２２０  表示部
２３０  スピーカ
【図１】
2006222504.tif 000003
【図２】
2006222504.tif 000004
【図３】
2006222504.tif 000005
【図４】
2006222504.tif 000006
【図５】
2006222504.tif 000007
【図６】
2006222504.tif 000008
【図７】
2006222504.tif 000009
【図８】
2006222504.tif 000010